(57)【要約】【課題】可変情報が表示された多品種小ロット印刷物を製造する場合でも、短時間で効率的に製造することができる多品種小ロット印刷物を提供することを目的とする。【解決手段】印刷用紙上に、同一デザインの絵柄を所定間隔あけて多面付けで印刷する印刷工程と、前記印刷用紙に対して、前記絵柄が印刷された部分を所定の形状で型抜きして単一の印刷物を作成する型抜き工程と、予め、前記型抜き工程で型抜きされる形状と略同一の形状を有し、且つ前記単一の印刷物を嵌め込むことが可能に形成された嵌め込み部が所定間隔で複数形成された矩形状の冶具シートを用意する工程と、前記嵌め込み部に対して、前記型抜き工程で型抜きした単一の印刷物を嵌め込む嵌め込み工程と、前記冶具シートの嵌め込み部に嵌め込まれている単一の印刷物の表面に対して、注文者から指定された異なる可変情報を、指定された単一の印刷物の数だけプリントするプリント工程と、を含む。【選択図】        図１
2010274465.tif 000002
【特許請求の範囲】
【請求項１】
同一デザインの絵柄が表示され、同一形状で型抜きされた複数枚の印刷物で、その印刷物の注文者からの注文に基づいて、所定枚数毎に注文者から指定された異なる文字や絵柄からなる可変情報を表示して納品するための多品種小ロット印刷物の製造方法であって、
印刷用紙上に、同一デザインの絵柄を所定間隔あけて多面付けで印刷する印刷工程と、
前記印刷用紙に対して、前記絵柄が印刷された部分を所定の形状で型抜きして、前記絵柄が表示された単一の印刷物を作成する型抜き工程と、
予め、前記型抜き工程で型抜きされる形状と略同一の形状を有し、且つ前記単一の印刷物を嵌め込むことが可能に形成された嵌め込み部が所定間隔で複数形成された冶具シートを用意する工程と、
前記嵌め込み部に対して、前記型抜き工程で型抜きした単一の印刷物を嵌め込む嵌め込み工程と、
前記冶具シートの嵌め込み部に嵌め込まれている単一の印刷物の表面に対して、注文者から指定された異なる可変情報を、指定された単一の印刷物の数だけプリントするプリント工程と、
を含むことを特徴とする可変情報が表示された多品種小ロット印刷物の製造方法。
【請求項２】
前記嵌め込み部に前記単一の印刷物がそれぞれ嵌め込まれた状態の冶具シートを、上面側に複数の穴が形成された冶具シートセット台の上に置いた状態で、前記穴から吸引させることで、前記冶具シートと前記単一の印刷物とを前記冶具シートセット台の上面に固定させる吸引工程を有していることを特徴とする請求項１記載の可変情報が表示された多品種小ロット印刷物の製造方法。
【請求項３】
前記嵌め込み工程の前工程において、前記冶具シートがプリンタの冶具シートセット台上にセットする工程を有することを特徴とする請求項１記載の可変情報が表示された多品種小ロット印刷物の製造方法。
【発明の詳細な説明】
【技術分野】
【０００１】
本発明は、同一デザインの絵柄が表示され、同一形状で型抜きされた複数枚の印刷物で、その印刷物の注文者からの注文に基づいて、所定枚数毎に注文者から指定された異なる文字や絵柄からなる可変情報を表示して納品するための多品種小ロット印刷物の製造方法に関する。
【背景技術】
【０００２】
従来、同一デザインの絵柄や文字が表示された印刷物を製造する場合には、印刷機械を用いて印刷用紙に印刷することで、それらの印刷物を製造している。
また、コンピュータシステムを用いて、データベースに蓄積された個人情報などの個別情報を利用して、それらの情報を表示する印刷物を作製する場合には、例えば、連続用紙に予め所定の同一デザインの絵柄を印刷した後、プリンタに連続用紙をセットして、データベースに蓄積された個別情報の中から選択された個別情報を連続用紙上に印字することで、個別情報が表示された印刷物を製造している。
【０００３】
更に、可変情報が表示された多品種小ロット印刷物を製造する場合には、複数種類の版を作成して、予め版を用意した後、印刷物の注文者からの注文数に応じて、それぞれの版を用いて印刷することで所定枚数の印刷物を製造したり、または同一デザインの絵柄の印刷物に対して可変情報を表示する場合には、印刷物をプリンタにセットして印字するなどした後に、所定の形状に型抜き加工を行なうことで、単一の印刷物を製造している。
また、可変情報が表示された単一の印刷物を製造する製造方法として、印刷された用紙にプリンタでの印字した後に、型抜きして製造する方法は、既に知られている。（例えば、特許文献１、参照）
【０００４】
しかしながら、同一デザインの絵柄が表示され、同一形状で型抜きされた複数枚の印刷物に対して、その印刷物の注文者からの注文に基づいて、指定された異なる文字や絵柄からなる可変情報が表示された印刷物を、注文者から指定された所定枚数だけ作製することは、従来の製造方法では、手間や時間がかかり、製造コストも高くなるという問題がある。
例えば、多くの支店を有する会社から、同一デザインの絵柄が表示された複数の単一の印刷物であって、最終的に納品する支店毎に指定された異なる文字や絵柄からなる可変情報を、その単一の印刷物に表示して、納品してほしいという注文があった場合には、短時間で効率的な製造ができないという問題がある。
【先行技術文献】
【特許文献】
【０００５】
【特許文献１】特開２００２−３２８６０６号公報
【発明の概要】
【発明が解決しようとする課題】
【０００６】
そこで、本発明は、型抜きまで完了された単一の印刷物に対して、短時間で効率的に文字や絵柄からなる可変情報を表示して、可変情報が表示された多品種小ロット印刷物を製造することができる可変情報が表示された多品種小ロット印刷物を提供することを目的とする。
【課題を解決するための手段】
【０００７】
本発明の可変情報が表示された多品種小ロット印刷物の製造方法は、同一デザインの絵柄が表示され、同一形状で型抜きされた複数枚の印刷物で、その印刷物の注文者からの注文に基づいて、所定枚数毎に注文者から指定された異なる文字や絵柄からなる可変情報を表示して納品するための多品種小ロット印刷物の製造方法であって、印刷用紙上に、同一デザインの絵柄を所定間隔あけて多面付けで印刷する印刷工程と、前記印刷用紙に対して、前記絵柄が印刷された部分を所定の形状で型抜きして、前記絵柄が表示された単一の印刷物を作成する型抜き工程と、予め、前記型抜き工程で型抜きされる形状と略同一の形状を有し、且つ前記単一の印刷物を嵌め込むことが可能に形成された嵌め込み部が所定間隔で複数形成された冶具シートを用意する工程と、前記嵌め込み部に対して、前記型抜き工程で型抜きした単一の印刷物を嵌め込む嵌め込み工程と、前記冶具シートの嵌め込み部に嵌め込まれている単一の印刷物の表面に対して、注文者から指定された異なる可変情報を、指定された単一の印刷物の数だけプリントするプリント工程と、を含むことを特徴とする。
【０００８】
また、本発明の可変情報が表示された多品種小ロット印刷物の製造方法は、前記嵌め込み部に前記単一の印刷物がそれぞれ嵌め込まれた状態の冶具シートを、上面側に複数の穴が形成された冶具シートセット台の上に置いた状態で、前記穴から吸引させることで、前記冶具シートと前記単一の印刷物とを前記冶具シートセット台の上面に固定させる吸引工程を有していることを特徴とする。
【０００９】
更に、本発明の可変情報が表示された多品種小ロット印刷物の製造方法は、前記嵌め込み工程の前工程において、前記冶具シートがプリンタの冶具シートセット台上にセットする工程を有することを特徴とする。
【発明の効果】
【００１０】
したがって、本発明の可変情報が表示された多品種小ロット印刷物の製造方法は、絵柄が表示された単一の印刷物を型抜きした後に、冶具シートの嵌め込み部に、型抜きした単一の印刷物を嵌め込んだ状態で、単一の印刷物上にプリンタでプリントするので、プリントした単一の印刷物をそのまま仕分け処理して、納品することができ、短時間で効率的に製造することができるという効果がある。
【００１１】
また、発明の可変情報が表示された多品種小ロット印刷物の製造方法は、嵌め込み部に単一の印刷物がそれぞれ嵌め込まれた状態の冶具シートを、上面側に複数の穴が形成された冶具シートセット台の上に置いた状態で、前記穴から吸引させることで、前記冶具シートと前記単一の印刷物とを前記冶具シートセット台の上面に固定させるので、正確の位置に印字を行うことができ、印字後にも簡単に単一の印刷物を取り出すことができるという効果がある。
【００１２】
更に、発明の可変情報が表示された多品種小ロット印刷物の製造方法は、嵌め込み工程の前工程において、冶具シートがプリンタの冶具シートセット台上にセットする工程を有しているので、セットされた冶具シートの嵌め込み部に、型抜きされた所定形状の印刷物を嵌め込み、また取り出すことで印刷物上にプリンタでプリントを行うことができ、効率的に印字処理を行うことができるという効果がある。
【図面の簡単な説明】
【００１３】
【図１】本発明の実施形態に係る可変情報が表示された多品種小ロット印刷物の製造方法で製造された印刷物であって、（ａ）は、その印刷物の平面図、（ｂ）は、（ａ）のＡ−Ａ線断面図である。
【図２】本発明の実施形態に係る可変情報が表示された多品種小ロット印刷物の製造方法において、印刷工程と型抜き工程の一例を説明する図である。
【図３】本発明の実施形態に係る可変情報が表示された多品種小ロット印刷物の製造方法において使用する、嵌め込み部が所定間隔で複数形成された冶具シートの平面図である。
【図４】図３のＢ−Ｂ線断面図である。
【図５】本発明の実施形態に係る可変情報が表示された多品種小ロット印刷物の製造方法において、嵌め込み部が所定間隔で複数形成された冶具シートに印刷物を嵌め込む工程を説明する図である。
【図６】本発明の実施形態に係る可変情報が表示された多品種小ロット印刷物の製造方法において、冶具シートに嵌め込まれた印刷物をプリンタでプリントする工程を説明する図である。
【図７】本発明の実施形態に係る可変情報が表示された多品種小ロット印刷物の製造方法において、冶具シートの嵌め込み部に印刷物を嵌め込む状態を示す図である。
【図８】本発明の実施形態に係る可変情報が表示された多品種小ロット印刷物の製造方法において、冶具シートの嵌め込み部に印刷物が嵌め込まれた状態を示す平面図である。
【図９】本発明の実施形態に係る可変情報が表示された多品種小ロット印刷物の製造方法において、プリント工程の後に冶具シートの嵌め込み部から印刷物を抜き取る状態を示す断面図である。
【図１０】本発明の実施形態に係る可変情報が表示された多品種小ロット印刷物の製造方法の工程の流れを示すフローチャートである。
【発明を実施するための形態】
【００１４】
以下、本発明の実施形態に係る可変情報が表示された多品種小ロット印刷物の製造方法を図面に基づいて詳細に説明する。
図１には、本発明の実施形態に係る可変情報が表示された多品種小ロット印刷物の製造方法で製造される印刷物の一例として、記念キップ１が示されている。
図１（ａ）に示すように、この記念キップ１は、使用者に鯉のぼりを思わせる形状からなり、その表面には、販売される全ての記念キップ１において、共通に印刷される表示絵柄や文字などが施された共通印刷部２と、その記念キップ１を販売する駅毎の駅名が表示されている可変情報表示部３と、を有している。
つまり、共通印刷部２には、絵柄として、鯉の口、目玉、鱗、が示され、更に、文字として、「鯉のぼり記念キップ」の文字が表示されている。
また、可変情報表示部３には、一例として「新宿駅」という駅名情報が表示されている。
また、図１（ｂ）に示すように、記念キップ１は通常の切符と略同様の厚みを有しているが、記念キップ１であるので、紙の厚みは任意に設定してもよい。
【００１５】
図示した記念キップ１は、可変情報が表示された多品種小ロット印刷物の製造方法で使用される印刷物をわかりやすく説明するための一例であり、この「鯉のぼり記念キップ」の記念キップ１に限定されるものではない。
つまり、本発明の実施形態に係る可変情報が表示された多品種小ロット印刷物の製造方法で製造される印刷物は、多面付けされた印刷用紙から型抜かれた印刷物であって、その印刷物には、共通に印刷される表示絵柄や文字などが施された共通印刷部２と、その所定のロット毎に異なる情報つまり可変情報が表示される可変情報表示部３と、を有している印刷物を製造目的の対象としている。
【００１６】
まず、本発明の多品種小ロット印刷物の製造方法は、図２に示すように、オフセット印刷機４などで、オフセット印刷機４の印刷部４ａで、印刷用紙５に多面付けして共通印刷部２に、鯉の口、目玉、鱗、などの絵柄印刷や、更に、「鯉のぼり記念キップ」などの共通文字の印刷を行い、更に、型抜き部４ｂで、鯉のぼりの外形形状の型抜きを行うことで、多数枚の単一印刷物６を製造する。
つまり、同一デザインの絵柄を所定間隔あけて多面付けで印刷する印刷工程と、前記印刷用紙に対して、前記絵柄が印刷された部分を所定の形状で型抜きして、前記絵柄が表示された単一の印刷物を作成する型抜き工程と、を有している。
【００１７】
尚、型抜き加工された単一印刷物６は、型抜き部４ｂで型抜きされた後に、下側に設けられたケース７内に収納されて回収される。
尚、図２に示す例では、印刷部４ａによる印刷工程と、型抜き部４ｂによる型抜き工程とを、連続して行う場合について示したが、印刷工程と型抜き工程とを分けて、印刷機と型抜き機とを使用して別々に行ってもよい。
これらの印刷工程と型抜き工程とでは、従来から実施されている印刷機や型抜き機を使用すればよく、所定の外形形状を有し、更に、共通の内容の印刷が施された多数枚の単一印刷物が製造されればどのような装置を使用してもよい。
【００１８】
次に、単一印刷物６に対して、プリンタを用いて、その単一印刷物６の表面上に駅名からなる可変情報を印字するプリント処理を行うが、この駅名を印字する際に、コンピュータシステムのデータベースには、予め設定された複数種類の異なる駅名情報と、更に、個々の駅名について、どれだけの数量を印字して、最終的に個々の駅名が表示された記念キップをそれぞれ何枚作製したらよいのかといった処理用データが登録されている必要がある。
例えば、日本全国にある駅で、それぞれその駅名が印字された記念キップ１を販売する場合には、ここの駅の場所や人気度合いに応じて用意する枚数が異なってくるので、販売数量が多く見込まれる駅には、多くの記念キップ１を用意し、また、販売数量が少ないと見込まれる駅には、少ない記念キップ１を用意することになる。
したがって、駅名が印字された記念キップ１の製造においても、プリンタでの印字の際に、どの駅名のものをどれだけ印字するのかといった処理用データに基づいて、印字処理を行うことになる。
【００１９】
図３には、プリンタで印字する際に用いる冶具シート８が示されている。
この冶具シート８は、記念キップ１に使用する用紙の厚みと略同一の厚みを有する矩形状の冶具シートであって、ポリカーボネイトなどの耐熱特性素材からなる。
冶具シート８には、予め型抜き工程で型抜きされる形状と略同一の形状を有し、且つ型抜きされた単一の印刷物を嵌め込むことができる形状で形成された嵌め込み部９が、所定間隔で複数形成されている。
【００２０】
図３に示す例では、横方向に一定間隔で形成された６つの嵌め込み部９が、上下に２列並べられて設けられており、１枚の冶具シート８に１２個の嵌め込み部９が設けられている矩形形状を有する冶具シート８が示されている。
１枚の冶具シート８に一定間隔で並べられても設けられている複数の嵌め込み部９は、必要に応じて、縦方向でもよく、また、１列や、２列以上であってもよいが、プリンタのインクジェットのヘッドの移動する方向に多くの嵌め込み部９を配置したほうが、プリント速度が速くなりより好ましい。
また、プリンタの機能や、冶具シート８の大きさや、嵌め込み部９の形状の大きさ、などに応じて、任意の数の嵌め込み部９を冶具シート８の所定の位置に設ければよい。
また、図４に示すように、冶具シート８に形成された嵌め込み部９は、冶具シート８の基材を型抜きすることで、完全に貫通された状態で形成されている。
【００２１】
そして、図５に示すように、この冶具シート８は、プリンタに設けられている冶具シートセット台１０の所定位置に置かれて、冶具シート８が冶具シートセット台１０の上で動かないように粘着テープ１１などで、その周辺部分をとめた状態に予めセットしておく。
また、冶具シート８が冶具シートセット台１０の上で動かない状態であれば、粘着テープ１１に限らず、他の方法を用いてもよい。
【００２２】
冶具シートセット台１０の上板１０ａには、複数の貫通穴１２が所定間隔で形成されている。
また、冶具シートセット台１０は、この複数の貫通穴１２から下側方向に空気の吸引を行う機能を有している。
そして、型抜きされた個々の単一印刷物６に対して、プリンタで可変情報である駅名をプリント処理する際には、まず、冶具シートセット台１０の上側にセットされた冶具シート８の嵌め込み部９に対して、単一印刷物６を嵌め込む処理を行う。
【００２３】
次に、図６に示すように、冶具シートセット台１０の吸引機能を用いて、冶具シート８の下方向に吸引を行うことで、同時に、冶具シート８の嵌め込み部９に嵌め込まれている単一印刷物６の裏面部分を下側方向に吸引させて、単一印刷物６が移動したり、冶具シート８から飛び出したりしないように固定する。
【００２４】
そして、次にプリンタの印字機能を有するプリントヘッド１３を移動させながら、冶具シート８の嵌め込み部９に嵌め込まれている単一印刷物６の表面に対して、コンピュータシステムを用いて設定された可変情報の印字処理を行う。
つまり、予め入力されている印字する処理データである、個々の駅名について、どれだけの数量を印字するのかといった処理データに基づいたプリント印字処理を行う。
【００２５】
更に、プリンタの印字処理が終了した場合には、図９に示すように、冶具シートセット台１０の吸引処理をストップさせた後に、単一印刷物６を冶具シート８の嵌め込み部９から取り出して、個々の駅名毎に別々に梱包して、注文者が指定する方法で指定する場所に納品する。
【００２６】
上記の実施形態で説明したように、本発明の実施形態に係る可変情報が表示された多品種小ロット印刷物の製造方法は、図１０に示すように、印刷用紙上に、同一デザインの絵柄を所定間隔あけて多面付けで印刷する印刷工程２１と、前記印刷用紙に対して、前記絵柄が印刷された部分を所定の形状で型抜きして、前記絵柄が表示された単一の印刷物を作成する型抜き工程２２と、冶具シート嵌め込み部に対して、前記型抜き工程で型抜きした単一の印刷物を嵌め込む嵌め込み工程２３と、矩形状の冶具シートと前記単一の印刷物とを前記冶具シートセット台の上面に固定させる吸引工程２４と、冶具シートの嵌め込み部に嵌め込まれている単一の印刷物の表面に対して、注文者から指定された異なる可変情報を、指定された単一の印刷物の数だけプリントするプリント工程２５と、冶具シートの嵌め込み部から単一の印刷物を抜き取る工程２６と、などの工程がある。
【００２７】
また、更に、図示してないが、予め、前記型抜き工程で型抜きされる形状と略同一の形状を有し、且つ前記単一の印刷物を嵌め込むことが可能に形成された嵌め込み部が所定間隔で複数形成された冶具シートを用意する工程と、前記矩形状の冶具シートがプリンタの冶具シートセット台上にセットする工程と、前記嵌め込み部に前記単一の印刷物がそれぞれ嵌め込まれた状態の冶具シートを、上面側に複数の穴が形成された冶具シートセット台の上に置いた状態で、前記穴から吸引させることで、前記冶具シートと前記単一の印刷物とを前記冶具シートセット台の上面に固定させる吸引工程と、などの工程がある。
【００２８】
したがって、本発明の実施形態に係る可変情報が表示された多品種小ロット印刷物の製造方法を利用すれば、可変情報が表示された多品種小ロット印刷物を効率的に製造することができる。
【００２９】
また、上記の実施形態では、一例として、運輸業で販売される記念キップ１について説明したが、本発明の実施形態に係る可変情報が表示された多品種小ロット印刷物の製造方法は、これに限らず、型抜きまで完了した単一の印刷物に可変情報をプリントする場合において、共通の印刷で表示させる表示部分と、プリンタで印字する可変情報の表示部分と、を表面に表示する目的の印刷物であればどのような用途の印刷物にも適応することができるものである。
例えば、郵便葉書に共通の絵柄を印刷しておき所定部分に可変情報である表示を印字した葉書、グリーティングカード、クーポン券、など様々な印刷物に適応することができる。
【符号の説明】
【００３０】
１  記念キップ
２  共通印刷部
３  可変情報表示部
４  オフセット印刷機
４ａ  印刷部
４ｂ  型抜き部
５  印刷用紙
６  単一印刷物
７  ケース
８  冶具シート
９  嵌め込み部
１０  冶具シートセット台
１１  粘着テープ
１２  貫通穴
１３  印字ヘッド
２１  印刷工程
２２  型抜き工程
２３  嵌め込み工程
２４  吸引工程
２５  プリント工程
２６  抜き取る工程
【図１】
2010274465.tif 000003
【図２】
2010274465.tif 000004
【図３】
2010274465.tif 000005
【図４】
2010274465.tif 000006
【図５】
2010274465.tif 000007
【図６】
2010274465.tif 000008
【図７】
2010274465.tif 000009
【図８】
2010274465.tif 000010
【図９】
2010274465.tif 000011
【図１０】
2010274465.tif 000012